(57)【特許請求の範囲】
【請求項１】
水栓の取付基体に貫通の水栓取付穴を設けるとともに、（イ）該取付基体の表面に位置させられる部材であって水栓本体を固定可能な取付部材と、(ロ)該取付基体の裏面に位置させられて該取付部材とともに該取付基体を挟み付けるホルダと、それら取付部材及びホルダを連結し且つ該取付基体を挟み付けるように締結する締結具と、を備えた水栓取付装置を該取付基体に装着した上で、該水栓取付装置を介し水栓を該取付基体に取り付けるようになした水栓の設置構造において、
前記ホルダの前記取付基体を裏側から挟みつける部分に配管接続用の貫通の開口を備えるとともに、該開口の内側に、可撓管からなる水栓の配管を保持し固定する配管固定部を設け、且つ該配管と該水栓との接続構造を、該水栓の配管接続部に該配管を挿し込むことで該配管を抜止状態に接続するものとなしたことを特徴とする水栓の設置構造。
【請求項２】
請求項１に記載の水栓の設置構造において、前記ホルダが前記取付基体の表面側から前記水栓取付穴に対し該取付基体の裏面側に挿通可能であって、前記水栓取付装置が該取付基体の表面側から該取付基体に対して取付可能なものであり、前記設置構造が前記水栓を該水栓取付装置を介して前記取付基体に対し表面側から取り付けるものであることを特徴とする水栓の設置構造。
【請求項３】
請求項１，２の何れかに記載の水栓の設置構造において、前記配管固定部を、一対の弾性爪を有しそれら弾性爪によって前記配管を弾性的に把持するものとなしたことを特徴とする水栓の設置構造。
【請求項４】
請求項１，２の何れかに記載の水栓の設置構造において、前記配管固定部を、前記配管における蛇腹管の溝又は突条を弾性的に嵌合させる突起又は溝を有する形態としたことを特徴とする水栓の設置構造。
【請求項５】
請求項４に記載の水栓の設置構造において、前記突起は前記蛇腹管の周方向に沿って所定間隔で複数設けられていることを特徴とする水栓の設置構造。
【発明の詳細な説明】
【０００１】
【発明の属する技術分野】
この発明は水栓の設置構造に関し、詳しくは水栓設置に際して水栓取付装置を用い、また水栓用配管として可撓管を用いた水栓の設置構造に関する。
【０００２】
【従来の技術及び発明が解決しようとする課題】
従来、壁への水栓の設置構造として、即ち垂直面を設置面とする水栓の設置構造として、壁に設けた貫通口を通じて壁裏から水栓用の配管の端部を突き出させ、その配管端部に対して水，湯の通路構成部材を兼ねたクランク脚を接続固定し、そしてそのクランク脚に水栓本体を接合することによって、水栓本体を壁に設置するようになした設置構造が一般に用いられている。
【０００３】
この設置構造の場合室内側、即ち取付基体としての壁の表面側から水栓を取付基体としての壁に取付施工ができるものの、クランク脚の存在によって水栓本体が室内側に大きく突き出した状態となる問題がある。
【０００４】
従ってこの設置構造を浴室における洗い場の水栓の設置構造として適用したとき、水栓が洗い場側に大きく突き出した状態となって見栄えが悪くなるとともに、水栓の突出しによって洗い場空間が狭くなるといった問題を生ずる。
【０００５】
一方カウンターへの水栓の設置構造として、即ち水平面を設置面とする水栓の設置構造として、図１０に示すような設置構造が用いられている。
同図において２００は水栓（この例ではシングルレバー式混合水栓）で、水栓本体２０２とこれから延び出す吐水管２０４及び水栓本体２０２上部の操作レバー２０８とを有している。
２１０は取付基体としてのカウンターで、水栓取付穴２１２が形成されている。
【０００６】
この図に示す設置構造の場合、水栓本体２０２から延び出した雄ねじ管２１４を、水栓取付穴２１２をカウンター２１０の上面（表面）側から下面（裏面）側に挿通し、そしてカウンター２１０の裏側において雄ねじ管２１４に固定ナット２１６をねじ込み、その固定ナット２１６の締付力に基づいて水栓本体２０２を取付基体２１０の上面、即ち水平な設置面２１０Ａに取り付ける。
【０００７】
しかしながらこの設置構造の場合、カウンター２１０の裏側において水栓本体２０２の固定作業をしなければならず、水栓設置の際の作業性が悪いといった問題がある。
【０００８】
そこで取付基体の表面に位置させられる取付部材と、取付基体の裏側に位置させられて取付部材とともに取付基体を挟み付けるホルダと、それら取付部材及びホルダを連結し且つ取付基体を挟み付けるように締結する締結具とを備えた水栓取付装置を取付基体に装着し、その水栓取付装置に対して水栓本体を固定することでによって水栓を取付基体に設置するようになした設置構造が提案されている。
【０００９】
この設置構造の場合、取付基体の内面（表面）側からの設置施工が可能で施工性が良く、また取付基体からの水栓の突出しを最小限に抑え得る利点がある。
【００１０】
ところで、従来にあっては水栓用の配管として鋼管が使用されているが、近年鞘管ヘッダー方式と称される配管システムが採用されるようになって来ている。
【００１１】
この方式は、一般に蛇腹管から成る鞘管（外管）の内部に可撓性のチューブを挿通し、それら２重管から成る配管を壁裏等において引廻し配管し、その一端側をヘッダーと称される装置に接続する一方、他端側を水栓に接続するようになしたものである。
ここで鞘管はチューブのガイド管としての働きを成し、内部のチューブが実質的に水，湯の流通路を形成する。
【００１２】
図１１はその鞘管ヘッダー方式による配管の施工状態を示したものである。
同図において２１８はその２重管から成る配管で、全体が可撓性を有しており、その一端側がヘッダーに、また他端側が浴室ユニット２２０の壁２２２等に固定された上で、内部の水栓に接続される。
【００１３】
配管２１８は、図１２に示しているように蛇腹管から成る可撓性の鞘管２２３と、その内部に挿通された可撓性のチューブ２２４とから成っており、その端部には壁等の取付基体への固定と水栓との接続を行うための固定接続装置２２５が取り付けられている。
【００１４】
固定接続装置２２５は、板状の固定部２２６とハウジング２２８とを有する本体２３０を有しており、その固定部２２６において壁等取付基体に固定されるとともに、その内部には管継手，パッキン，ワッシャー等の部品が収容されていて、ハウジング２２８内部に突入したチューブ２２４の端部がその管継手に接続されている。
【００１５】
管継手からはまた、ねじ管２３２が板状の固定部２２６前面側に突き出しており、そのねじ管２３２に対して室内側で水栓の配管接続部が接続されるようになっている。
【００１６】
しかしながらこの鞘管ヘッダー方式における固定接続装置２２５は多数の部品を有する複雑な構造のものであって、その分コストも高く、また各部品の組み付けのための作業も必要であって施工性において問題があり、また多数の部品を水密に繋ぎ合せていることからそれだけ漏水個所も多くなるといった問題がある。
【００１７】
【課題を解決するための手段】
本発明の水栓の設置構造はこのような課題を解決するために案出されたものである。
而して請求項１の水栓の設置構造は、水栓の取付基体に貫通の水栓取付穴を設けるとともに、（イ）該取付基体の表面に位置させられる部材であって水栓本体を固定可能な取付部材と、(ロ)該取付基体の裏面に位置させられて該取付部材とともに該取付基体を挟み付けるホルダと、それら取付部材及びホルダを連結し且つ該取付基体を挟み付けるように締結する締結具と、を備えた水栓取付装置を該取付基体に装着した上で、該水栓取付装置を介し水栓を該取付基体に取り付けるようになした水栓の設置構造において、前記ホルダの前記取付基体を裏側から挟みつける部分に配管接続用の貫通の開口を備えるとともに、該開口の内側に、可撓管からなる水栓の配管を保持し固定する配管固定部を設け、且つ該配管と該水栓との接続構造を、該水栓の配管接続部に該配管を挿し込むことで該配管を抜止状態に接続するものとなしたことを特徴とする。
【００１８】
請求項２の水栓の設置構造は、請求項１に記載の水栓の設置構造において、前記ホルダが前記取付基体の表面側から前記水栓取付穴に対し該取付基体の裏面側に挿通可能であって、前記水栓取付装置が該取付基体の表面側から該取付基体に対して取付可能なものであり、前記設置構造が前記水栓を該水栓取付装置を介して前記取付基体に対し表面側から取り付けるものであることを特徴とする。
【００１９】
請求項３の水栓の設置構造は、請求項１，２の何れかに記載の水栓の設置構造において、前記配管固定部を、一対の弾性爪を有しそれら弾性爪によって前記配管を弾性的に把持するものとなしたことを特徴とする。
【００２０】
請求項４の水栓の設置構造は、請求項１，２の何れかに記載の水栓の設置構造において、前記配管固定部を、前記配管における蛇腹管の溝又は突条を弾性的に嵌合させる突起又は溝を有する形態としたことを特徴とする。
【００２１】
請求項５の水栓の設置構造は、請求項４に記載の水栓の設置構造において、前記突起は前記蛇腹管の周方向に沿って所定間隔で複数設けられていることを特徴とする。
【００２２】
【作用及び発明の効果】
上記のように請求項１の水栓の設置構造は、壁等の取付基体の表面に位置させられる取付部材と、裏面に位置させられるホルダと、それらを連結する締結具とを備えた水栓取付装置を先ず取付基体に装着し、これを介して水栓を取付基体に取り付けるようになすとともに、その水栓取付装置におけるホルダに、可撓管から成る配管を保持し固定する配管固定部を設けたもので、この設置構造によれば、水栓用配管として上記のような鞘管ヘッダー方式におけるような可撓管を用いた場合において、その可撓管を壁等取付基体に固定するための固定装置を省略することが可能となり、水栓設置に際して必要な部品の点数を少なくでき、所要コストを低廉化することができるとともに、施工作業性をより簡略化することができる。
【００２３】
尚、可撓管から成る配管の端部を直接水栓に接続した場合、配管端部は水栓に固定状態となるが、他の部分はフリーの状態となり、従って吐水，吐水遮断した場合にその配管がその反動によって大きく動いてしまう。
【００２４】
ここにおいてホルダの配管固定部は、かかる配管を保持固定することによってその配管の動きを規制する働きをなす。
更にはまた、そのような配管固定部を設けておくことにより、水栓設置に際して配管の端部をホルダに保持固定させておくことで、水栓と配管との接続作業を容易に行えるようになる。
【００２５】
換言すればこのような配管固定部をホルダに設けておくことで、水栓本体に対する配管の直接的な接続、即ち上記固定接続装置２２５を用いないで直接接続することが可能となる。
【００２６】
本発明においては、上記ホルダにおける配管固定部を、一対の弾性爪を有し、それら弾性爪によって配管を弾性的に保持するものと成すことができる（請求項３）。
このようにすれば配管固定部を簡単に構成できるとともに、配管固定部への配管の固定作業を容易に行うことができ、施工性向上に寄与する。
【００２７】
尚この弾性爪の把持による配管固定の場合、上記鞘管ヘッダー方式における鞘管の保持としても、また内部のチューブの保持のためのものとしても機能させることができる。
【００２８】
本発明においてはまた、上記配管固定部を、蛇腹管の溝又は突条を弾性的に嵌合させる突起又は溝を有する形態で構成することができる（請求項４）。
このようにしておけば、配管が蛇腹管から成っている場合においてその溝又は突条を配管固定部の突起又は溝に弾性的に嵌め合わせるだけで簡単に配管の固定を行うことができる。
【００２９】
この場合において、その突起は蛇腹管の周方向に沿って所定間隔おいて複数設けておくことができる（請求項５）。
このようにしておけば、蛇腹管を突起に弾性的に嵌合させる際に、全周に亘って突起を設けておく場合に比べて少ない力でより簡単に固定作業を行うことができて好都合である。
【００３０】
【実施例】
次に本発明の実施例を図面に基づいて詳しく説明する。
図１において１０は本例の水栓（混合水栓）で、水側弁部，湯側弁部，湯水混合部を内蔵する金属製の水栓本体１４（図２参照）及び水栓本体１４を被覆する上側の化粧カバー１６と下側の化粧カバー１８とを有している。
【００３１】
図１において２０は吐水口，２２はエルボ２４を介して水栓本体に接続されたシャワーホース，２６は混合水の温度を調節する温調ハンドル（温度調節ハンドル），２８は吐水口２０からの吐水を行うための流量調整機能を備えた吐水口ハンドルであり、３０はシャワー側から吐水を行う流量調整機能を備えたシャワーハンドルである。
この水栓１０は、取付基体としての壁１２に後に詳述する設置構造にて取り付けられている。
【００３２】
図２及び図３はその設置構造を示したものである。
これらの図において、３２は水栓取付装置であって、水栓１０はこの水栓取付装置３２を介して、壁１２に設けられた一対の水栓取付穴３４において壁１２に取り付けられている。
【００３３】
ここで水栓取付穴３４は、図４及び図５に示しているように正面形状（平面視形状）が円形状を成しており、かかる形状の一対の水栓取付穴３４が水平方向に一定距離離隔して壁１２に設けられている。
【００３４】
水栓取付装置３２は、壁１２の内面（表面）に位置させられる取付プレート（取付部材）と、壁１２の裏側、詳しくは各水栓取付穴３４の裏側に位置させられて取付プレート３６とともに壁１２を表裏両側から挟み付ける一対のホルダ３８と、取付プレート３６から延び出し、後端部がホルダ３８の雌ねじ孔４０に螺合された複数個（この例では４個）のボルト（雄ねじ締結具）４２とを有している。
【００３５】
各ホルダ３８は、図４及び図５に示しているように上下方向を長手方向とする略長円形状且つリング形状を成しており、それぞれが水，湯の配管接続用の貫通の開口４４を有している。
【００３６】
ここで各ホルダ３８は、図５に示しているように左右方向つまり幅方向の外径寸法Ｗが、円形の水栓取付穴３４の直径Ｄよりも小さくされており、また幅方向と直角方向即ち上下の長手方向の外径寸法Ｌが、水栓取付穴３４の直径Ｄよりも大きくされている。
ホルダ３８の上記雌ねじ孔４０は、各ホルダ３８の幅方向各端部に形成されている。
【００３７】
前記ボルト４２は、これら雌ねじ孔４０に対応する位置において取付プレート３６から延び出し、そして図２に示す取付状態で水栓取付穴３４を挿通して壁１２の裏側の後端部が、各ホルダ３８の一対ずつの雌ねじ孔４０に螺合されている。
即ち、一対の水栓取付穴３４毎に各一対のボルト４２がこれを挿通し、各ホルダ３８と取付プレート（本例では金属製）３６とを連結している。
【００３８】
尚取付プレート３６は、水栓１０の左右方向寸法に対応した長さの長手形状を成している。
そして水栓取付穴３４及びホルダ３８に対応する位置において一対の配管接続用の貫通の開口４６を有している。
【００３９】
これら一対の開口４６は、その中心が水栓取付穴３４及びホルダ３８における開口４４の中心と一致させられている。
そしてこれら一対の開口４６のそれぞれの幅方向縁部から前記一対ずつのボルト４２が、ホルダ３８に向かって延び出している。
【００４０】
この取付プレート３６の前面（内面）下部にはＬ字状の固定片４８が設けられており、また上部にはフック状の引掛部５０が一体に形成されている。
ここで固定片４８には雌ねじ孔５２が形成されている。
【００４１】
前記水栓本体１４は、その後面上部の下向きＬ字状の掛止片５３がその引掛部５０に掛止され、そして後面下部が固定片４８に固定されることによって取付プレート３６に、即ち水栓取付装置３２に取り付けられている。
【００４２】
ここで固定片４８への水栓本体１４下部の固定は、水栓本体１４下部の固定孔５４を挿通した雄ねじ部材５６を、固定片４８における雌ねじ孔５２にねじ込むことによって行われている。
【００４３】
上記構成を有する水栓取付装置３２は、次のようにして壁１２の内面側から簡単に壁１２に装着することができる。
即ち、図６（Ｉ）に示しているように取付プレート３６と一対のホルダ３８とを合計４本のボルト４２で連結状態としておき、そして（II）に示しているように全体を若干前後方向に傾けた状態として、一対のホルダ３８のそれぞれを対応する一対の水栓取付穴３４に対し壁１２の内面側から裏面側に挿通する。
【００４４】
その後図７（III）に示しているように、水栓取付装置３２の姿勢を元通り、即ち取付プレート３６及びホルダ３８が垂直向きとなる姿勢に戻す。
このとき各ホルダ３８は、図５に明らかに示しているように上下の長手方向の各端部が、水栓取付穴３４の半径方向外側に位置した状態となる。
【００４５】
そこで壁１２の内面側から各ボルト４２を回転操作して締め込む。
これにより取付プレート３６と各ホルダ３８とが互いに接近し、最終的に壁１２を内外両側から強く締め付けた状態となって、ここに水栓取付装置３２が壁１２に装着された状態となる。
【００４６】
さてこのようにして水栓取付装置３２を壁１２に装着したら、パッキン５８を介して化粧プレート６０を取付プレート３６に被せ、しかる後水栓本体１４を取付プレート３６に対し引掛部５０及び固定片４８において固定する。
具体的には、上記のように水栓本体１４の掛止片５３を引掛部５０に掛止し、そして水栓本体１４の下部を雄ねじ部材５６にて固定片４８に締結固定する。
【００４７】
尚、雄ねじ部材５６を固定片４８に締結固定する際、下側の化粧カバー１８の貫通孔６１を通じて雄ねじ部材５６のねじ込みを行う。
【００４８】
尚、水栓本体１４には水栓取付穴３４の位置において水，湯の配管接続部６２が後方に突出する状態で設けられている一方、化粧プレート６０には対応する円筒部６４が設けられており、その配管接続部６２が円筒部６４を挿通し、一部が水栓取付穴３４の裏側に突出している。
この配管接続部６２に対して、水及び湯の配管としての可撓管から成るチューブ６８が差込接続され、水栓本体１４内の通路７４に連通させられている。
即ちこの例では、水栓用配管として可撓性を有する樹脂チューブ６８が単独で用いられている。
【００４９】
尚配管接続部６２に挿入されたチューブ６８は、爪７０によって抜け防止され、またシール部材７２によって配管接続部６２に対し水密にシールされている。
【００５０】
一方上記円筒部６４は、図２（Ｂ）に示しているように配管接続部６２の基端部に設けられたボス部６６の外周面にシール部材を介して水密に嵌合している。
【００５１】
図４及び図５に示しているように、上記ホルダ３８のそれぞれには、開口４４の内側において一対の弾性爪８０から成る配管固定部８２が一体に設けられている。
そしてこれら一対の弾性爪８０によって、上記水栓用配管としての可撓性のチューブ６８を弾性的に把持し、その端部近傍を保持固定するようになっている。
【００５２】
従って本例の水栓の設置構造においては、水栓取付装置３２を壁１２に装着した状態において、壁１２の裏側の可撓性のチューブ６８の端部近傍をホルダ３８における一対の弾性爪８０の間に押し込んで同部を一対の弾性爪８０により、即ち配管固定部８２により把持させ、その状態でチューブ６８の端部を水栓本体１４の配管接続部６２に接続することができる。
【００５３】
本例の設置構造によれば、水栓用配管としてチューブ６８を用いた場合において、チューブ６８を壁１２に固定するための、図１２に示すような複雑な構造の専用の固定接続装置を省略することが可能となり、水栓設置に際して必要な部品の点数を少なくでき、所要コストを低廉化することができるとともに、施工作業性をより簡略化することができる。
【００５４】
尚チューブ６８の端部を直接水栓１０に接続した場合、チューブ６８の端部は水栓１０に固定状態となるが、他の部分はフリーの状態となり、従って吐水，吐水遮断した場合にそのチューブ６８がその際の反動によって動いてしまう。
【００５５】
ここにおいてホルダ３８の配管固定部８２は、チューブ６８を保持固定することによってその動きを規制する働きをなす。
更にはまたそのような配管固定部８２を設けておくことにより、水栓設置に際してチューブ６８の端部近傍をホルダ３８に保持固定させておくことができ、水栓１０とチューブ６８との接続作業を容易に行うことができる。
【００５６】
尚この弾性爪８０の把持による方式の配管固定の場合、上記鞘管ヘッダー方式における鞘管の保持としても、また内部のチューブの保持のためのものとしても用いることができる。
【００５７】
本例の設置構造の場合、チューブ６８が図１２に示すような固定接続装置２２５を介することなく直接水栓１０に接続されており、加えて水栓１０は水栓取付装置３２を用いて壁１２の内面側から脱着可能であるために、チューブ６８が何らかの原因で損傷した場合、或いは経時劣化してその取替えの必要が生じた場合においてもこれを容易に行うことができる。
【００５８】
図8は本発明の他の実施例を示している。
この例は、可撓性のチューブ６８とその外側の蛇腹管から成る可撓性の鞘管８６にて水栓用の配管８８が構成されている場合の例で、ホルダ３８には蛇腹管から成る鞘管８６を保持固定するための配管固定部８２が開口４４の内周面に設けられている。
【００５９】
この例において配管固定部８２は、その開口４４の内周面に沿って所定間隔で設けられた複数の突起９０にて構成されている。
この例の場合、蛇腹管から成る鞘管８６の溝９２を突起９０に対して弾性的に嵌め合わせることで、かかる鞘管８６の端部を配管固定部８２により保持固定することができる。
【００６０】
ここで配管固定部８２による鞘管８６の固定は、ただ単に鞘管８６の端部を、突起９０を乗り越えるようにして軸方向に僅かに差し込むだけで良い。
そのようにすると各突起９０が鞘管８６の溝９２内部に弾性的に嵌まり込んでこれを保持固定する。
【００６１】
この例の場合、内側のチューブ６８はホルダ３８により特に保持固定されることはないが、チューブ６８は鞘管８６内部において鞘管８６によりその動きが拘束された状態にあるから、水栓を急激に吐水或いは吐水遮断した場合においてもチューブ６８が大きく動くといったことはない。
【００６２】
尚、上記複数の突起９０に代えて、図９に示しているようにホルダ３８の開口４４の内周に沿って連続的に環状の突起９４を形成し、この突起９４によって配管固定部８２を構成するといったことも可能である。或いはまた、場合によって開口４４内周面に沿って溝を形成し、その溝に蛇腹管から成る鞘管８６の突条を弾性的に嵌まり込むようにしても良い。
【００６３】
本例の設置構造においても、配管８８が何らかの原因で損傷した場合、或いは経時劣化してその取替えの必要が生じた場合においてもこれを容易に行うことができる。
【００６４】
以上本発明の実施例を詳述したがこれはあくまで一例示である。
例えば上例のホルダの形態，取付部材の形態及びこれらを含む水栓取付装置の形態はあくまで一例であって、本発明は他の様々な形態の水栓取付装置を用いた水栓の設置に際し適用することが可能であるなど、その主旨を逸脱しない範囲において種々変更を加えた形態で構成可能である。
【図面の簡単な説明】
【図１】  本発明の一実施例である水栓設置構造に従って水栓を壁に設置した状態を示す図である。
【図２】  同実施例の水栓設置構造を示す図である。
【図３】  同実施例の水栓設置構造を各部材に分解して示す図である。
【図４】  図３における水栓取付装置を壁への装着前の状態で示す図である。
【図５】  同実施例における水栓取付穴及びホルダの形状を示す図である。
【図６】  同実施例における水栓の取付手順の一部工程を示す図である。
【図７】  同実施例における水栓の取付手順の図６に続く工程を示す図である。
【図８】  本発明の他の実施例の要部を示す図である。
【図９】  本発明の更に他の実施例の要部を示す図である。
【図１０】  従来の水栓の設置構造の一例を示す図である。
【図１１】  鞘管ヘッダー式の配管システムの例を示す図である。
【図１２】  図１１における配管端部の構成を示す図である。
【符号の説明】
１０  水栓
１２  壁
１４  水栓本体
３２  水栓取付装置
３４  水栓取付穴
３６  取付プレート
３８  ホルダ
４０  雌ねじ孔
４２  ボルト
８０  弾性爪
８２  配管固定部
８６  鞘管
８８  配管
９０，９４  突起
９２  溝
【図１】
0003887111.tif 000002
【図２】
0003887111.tif 000003
【図３】
0003887111.tif 000004
【図４】
0003887111.tif 000005
【図５】
0003887111.tif 000006
【図６】
0003887111.tif 000007
【図７】
0003887111.tif 000008
【図８】
0003887111.tif 000009
【図９】
0003887111.tif 000010
【図１０】
0003887111.tif 000011
【図１１】
0003887111.tif 000012
【図１２】
0003887111.tif 000013